(57)【要約】【課題】効率的にかつミスなくバッチファイルを作成することが可能なクロマトグラフ用データ処理装置および自動試料注入装置を提供する。【解決手段】試料の分析または調製についての条件を示す分析情報とトレイＩＤまたは試料容器の容器タイプＩＤとの対応関係を示す事前登録情報が事前登録情報取得部１１により取得される。自動試料注入装置２００からトレイＩＤまたは容器タイプＩＤがトレイＩＤ取得部１２または容器タイプＩＤ取得部により取得される。事前登録情報に基づいてトレイＩＤまたは容器タイプＩＤに対応する分析情報が分析情報特定部１４により特定される。自動試料注入装置２００からトレイに試料が保持されているか否かを示す保持情報が保持情報取得部１３により取得される。保持情報と分析情報とに基づいてバッチファイルがバッチファイル作成部１５により作成される。【選択図】図５
2020183909.tif 000002
【特許請求の範囲】
【請求項１】
トレイの複数の試料保持部のいずれかにより保持された試料をクロマトグラフ装置に導入可能な自動試料注入装置に接続されるクロマトグラフ用データ処理装置であって、
試料の分析または調製についての条件を示す分析情報と前記トレイに固有のトレイＩＤ（識別子）との対応関係を示す事前登録情報を取得する事前登録情報取得部と、
前記自動試料注入装置からトレイＩＤを取得するトレイＩＤ取得部と、
前記事前登録情報取得部により取得された事前登録情報に基づいて、前記トレイＩＤ取得部により取得されたトレイＩＤに対応する分析情報を特定する分析情報特定部と、
前記自動試料注入装置から前記トレイの各試料保持部に試料が保持されているか否かを示す保持情報を取得する保持情報取得部と、
前記保持情報取得部により取得された保持情報と前記分析情報特定部により特定された分析情報とに基づいて、前記トレイに保持されている１または複数の試料についての分析または調製のシーケンスを制御するためのバッチファイルを作成するバッチファイル作成部とを備える、クロマトグラフ用データ処理装置。
【請求項２】
複数の容器保持部のいずれかにより保持された試料容器からクロマトグラフ装置に試料を導入可能な自動試料注入装置に接続されるクロマトグラフ用データ処理装置であって、
試料の分析または調製についての条件を示す分析情報と試料容器のタイプに固有の容器タイプＩＤ（識別子）との対応関係を示す事前登録情報を取得する事前登録情報取得部と、
前記自動試料注入装置から前記複数の容器保持部のいずれかに保持された各試料容器の容器タイプＩＤを取得する容器タイプＩＤ取得部と、
前記事前登録情報取得部により取得された事前登録情報に基づいて、前記容器タイプＩＤ取得部により取得された各試料容器の容器タイプＩＤに対応する分析情報を特定する分析情報特定部と、
前記自動試料注入装置から各容器保持部に試料容器が保持されているか否かを示す保持情報を取得する保持情報取得部と、
前記保持情報取得部により取得された保持情報と前記分析情報特定部により特定された分析情報とに基づいて、保持されている１または複数の試料容器に収容された試料の分析または調製のシーケンスを制御するためのバッチファイルを作成するバッチファイル作成部とを備える、クロマトグラフ用データ処理装置。
【請求項３】
前記試料を識別するための試料識別情報を取得する試料識別情報取得部をさらに備え、
前記バッチファイル作成部は、前記試料識別情報取得部により取得された試料識別情報をさらに含むようにバッチファイルを作成する、請求項１または２記載のクロマトグラフ用データ処理装置。
【請求項４】
前記バッチファイル作成部により作成されたバッチファイルに基づいて、試料の分析または調製が実行されるように前記自動試料注入装置または前記クロマトグラフ装置を制御する装置制御部をさらに備える、請求項１〜３のいずれか一項に記載のクロマトグラフ用データ処理装置。
【請求項５】
クロマトグラフ用データ処理装置に接続されるとともに、トレイの複数の試料保持部のいずれかにより保持された試料をクロマトグラフ装置に導入可能な自動試料注入装置であって、
前記トレイに固有のトレイＩＤ（識別子）を前記クロマトグラフ用データ処理装置に通知するトレイＩＤ通知部と、
前記トレイの各試料保持部に試料が保持されているか否かを示す保持情報を前記クロマトグラフ用データ処理装置に通知する保持情報通知部とを備える、自動試料注入装置。
【請求項６】
前記トレイが取り替え可能に載置される載置部と、
前記載置部に載置されている前記トレイのトレイＩＤを読み取るトレイ読取部とをさらに備え、
前記トレイＩＤ通知部は、前記トレイ読取部により読み取られたトレイＩＤを前記クロマトグラフ用データ処理装置に通知する、請求項５記載の自動試料注入装置。
【請求項７】
各試料保持部に試料が保持されているか否かを検知する検知部をさらに備え、
前記保持情報通知部は、前記検知部による検知結果を保持情報として前記クロマトグラフ用データ処理装置に通知する、請求項５または６記載の自動試料注入装置。
【請求項８】
クロマトグラフ用データ処理装置に接続されるとともに、複数の容器保持部のいずれかにより保持された試料容器からクロマトグラフ装置に試料を導入可能な自動試料注入装置であって、
各容器保持部に試料容器が保持されているか否かを示す保持情報を前記クロマトグラフ用データ処理装置に通知する保持情報通知部と、
前記保持されている１または複数の試料容器のタイプに固有の容器タイプＩＤ（識別子）を前記クロマトグラフ用データ処理装置に通知する容器タイプＩＤ通知部とを備える、自動試料注入装置。
【請求項９】
前記保持されている１または複数の試料容器の容器タイプＩＤを読み取る容器読取部をさらに備え、
前記容器タイプＩＤ通知部は、前記容器読取部により読み取られた容器タイプＩＤを前記クロマトグラフ用データ処理装置に通知する、請求項８記載の自動試料注入装置。
【請求項１０】
各容器保持部に試料容器が保持されているか否かを検知する検知部をさらに備え、
前記保持情報通知部は、前記検知部による検知結果を保持情報として前記クロマトグラフ用データ処理装置に通知する、請求項８または９記載の自動試料注入装置。
【請求項１１】
前記試料を識別するための試料識別情報を読み取る試料読取部と、
前記試料読取部により読み取られた試料識別情報を前記クロマトグラフ用データ処理装置に通知する試料識別情報通知部をさらに備える、請求項５〜１０のいずれか一項に記載の自動試料注入装置。
【発明の詳細な説明】
【技術分野】
【０００１】
本発明は、クロマトグラフ用データ処理装置および自動試料注入装置に関する。
【背景技術】
【０００２】
試料に含まれる物質を異なる成分ごとに分離する分析装置としてクロマトグラフ装置が知られている。分析システムにおいては、複数の試料が自動試料注入装置により順次クロマトグラフ装置に導入され、試料の分析が行われる。そのため、一般には、試料の分析シーケンスを制御するためのバッチファイルが作成される。作成されたバッチファイルに基づいて、自動試料注入装置およびクロマトグラフ装置が制御される。
【０００３】
バッチファイルは、各試料と分析条件等との対応関係が例えばテーブル形式で記載されたファイルである。作業者は、テーブルに所定の情報を入力することにより、バッチファイルを作成することができる。ここで、バッチファイルを作成することは作業者の日常的な作業であるため、効率的にかつミスなくバッチファイルを作成可能であることが求められる。
【０００４】
例えば、特許文献１に記載された自動分析装置においては、バッチファイルの設定画面が表示部に表示される。設定画面には、画像表示領域およびテキスト表示領域が含まれる。画像表示領域には、試料の容器保持部の平面図を模した画像が表示される。作業者は、画像表示領域またはテキスト表示領域に対する設定操作を行うことにより、直感的にバッチファイルを作成することができる。
【先行技術文献】
【特許文献】
【０００５】
【特許文献１】国際公開第２０１６／１８９６６８号
【発明の概要】
【発明が解決しようとする課題】
【０００６】
特許文献１の自動分析装置によれば、作業者が当該自動分析装置の取り扱いに熟練している場合には、バッチファイルを効率的に作成することが可能である。しかしながら、作業者の全員が自動分析装置の取り扱いに熟練しているとは限らず、熟練していない作業者には、バッチファイルを効率的に作成することは難しい。また、作業者の熟練度に関わらず、バッチファイルの作成作業にミスが発生することを完全に防止することはできない。
【０００７】
本発明の目的は、効率的にかつミスなくバッチファイルを作成することが可能なクロマトグラフ用データ処理装置および自動試料注入装置を提供することである。
【課題を解決するための手段】
【０００８】
本発明の一局面に従う態様は、トレイの複数の試料保持部のいずれかにより保持された試料をクロマトグラフ装置に導入可能な自動試料注入装置に接続されるクロマトグラフ用データ処理装置であって、試料の分析または調製についての条件を示す分析情報と前記トレイに固有のトレイＩＤ（識別子）との対応関係を示す事前登録情報を取得する事前登録情報取得部と、前記自動試料注入装置からトレイＩＤを取得するトレイＩＤ取得部と、前記事前登録情報取得部により取得された事前登録情報に基づいて、前記トレイＩＤ取得部により取得されたトレイＩＤに対応する分析情報を特定する分析情報特定部と、前記自動試料注入装置から前記トレイの各試料保持部に試料が保持されているか否かを示す保持情報を取得する保持情報取得部と、前記保持情報取得部により取得された保持情報と前記分析情報特定部により特定された分析情報とに基づいて、前記トレイに保持されている１または複数の試料についての分析または調製のシーケンスを制御するためのバッチファイルを作成するバッチファイル作成部とを備える、クロマトグラフ用データ処理装置に関する。
【０００９】
本発明の他の局面に従う態様は、複数の容器保持部のいずれかにより保持された試料容器からクロマトグラフ装置に試料を導入可能な自動試料注入装置に接続されるクロマトグラフ用データ処理装置であって、試料の分析または調製についての条件を示す分析情報と試料容器のタイプに固有の容器タイプＩＤ（識別子）との対応関係を示す事前登録情報を取得する事前登録情報取得部と、前記自動試料注入装置から前記複数の容器保持部のいずれかに保持された各試料容器の容器タイプＩＤを取得する容器タイプＩＤ取得部と、前記事前登録情報取得部により取得された事前登録情報に基づいて、前記容器タイプＩＤ取得部により取得された各試料容器の容器タイプＩＤに対応する分析情報を特定する分析情報特定部と、前記自動試料注入装置から各容器保持部に試料容器が保持されているか否かを示す保持情報を取得する保持情報取得部と、前記保持情報取得部により取得された保持情報と前記分析情報特定部により特定された分析情報とに基づいて、前記保持されている１または複数の試料容器に収容された試料の分析または調製のシーケンスを制御するためのバッチファイルを作成するバッチファイル作成部とを備える、クロマトグラフ用データ処理装置に関する。
【００１０】
本発明のさらに他の局面に従う態様は、クロマトグラフ用データ処理装置に接続されるとともに、トレイの複数の試料保持部のいずれかにより保持された試料をクロマトグラフ装置に導入可能な自動試料注入装置であって、前記トレイに固有のトレイＩＤ（識別子）を前記クロマトグラフ用データ処理装置に通知するトレイＩＤ通知部と、前記トレイの各試料保持部に試料が保持されているか否かを示す保持情報を前記クロマトグラフ用データ処理装置に通知する保持情報通知部とを備える、自動試料注入装置に関する。
【００１１】
本発明のさらに他の局面に従う態様は、クロマトグラフ用データ処理装置に接続されるとともに、複数の容器保持部のいずれかにより保持された試料容器からクロマトグラフ装置に試料を導入可能な自動試料注入装置であって、各容器保持部に試料容器が保持されているか否かを示す保持情報を前記クロマトグラフ用データ処理装置に通知する保持情報通知部と前記保持されている１または複数の試料容器のタイプに固有の容器タイプＩＤ（識別子）を前記クロマトグラフ用データ処理装置に通知する容器タイプＩＤ通知部とを備える、自動試料注入装置に関する。
【発明の効果】
【００１２】
本発明によれば、効率的にかつミスなくバッチファイルを作成することができる。
【図面の簡単な説明】
【００１３】
【図１】分析システムの構成を示す図である。
【図２】トレイの一例を示す平面図である。
【図３】自動試料注入装置の構成を示す図である。
【図４】自動試料注入装置の構成を示す図である。
【図５】データ処理装置の機能的な構成を示す図である。
【図６】事前登録情報取得部により取得される事前登録情報の一例を示す図である。
【図７】事前登録情報取得部により取得される事前登録情報の一例を示す図である。
【図８】事前登録情報取得部により取得される事前登録情報の一例を示す図である。
【図９】載置部に載置されたトレイを示す図である。
【図１０】トレイＩＤ取得部により取得されたトレイＩＤの例を示す図である。
【図１１】保持情報取得部により取得された保持情報の例を示す図である。
【図１２】バッチファイル作成部により作成されたバッチファイルの例を示す図である。
【図１３】事前登録情報の作成時における表示部の表示画面の一例を示す図である。
【図１４】通知プログラムにより行われる通知処理のアルゴリズムの一例を示すフローチャートである。
【図１５】データ処理プログラムにより行われるデータ処理のアルゴリズムの一例を示すフローチャートである。
【図１６】変形例に係る自動試料注入装置の構成を示す図である。
【図１７】変形例に係るデータ処理装置の構成を示す図である。
【図１８】第２の実施の形態に係る自動試料注入装置の構成を示す図である。
【図１９】第２の実施の形態に係るデータ処理装置の構成を示す図である。
【発明を実施するための形態】
【００１４】
［１］第１の実施の形態
（１）分析システムの構成
以下、第１の実施の形態に係るクロマトグラフ用データ処理装置および自動試料注入装置について図面を参照しながら詳細に説明する。図１は、分析システムの構成を示す図である。図１に示すように、分析システム４００は、クロマトグラフ用データ処理装置１００（以下、データ処理装置１００と略記する。）、自動試料注入装置２００および分析装置３００を備える。
【００１５】
データ処理装置１００は、ＣＰＵ（中央演算処理装置）１１０、ＲＡＭ（ランダムアクセスメモリ）１２０、ＲＯＭ（リードオンリメモリ）１３０、記憶部１４０、操作部１５０、表示装置１６０および入出力Ｉ／Ｆ（インターフェイス）１７０およびバス１８０により構成される。ＣＰＵ１１０、ＲＡＭ１２０、ＲＯＭ１３０、記憶部１４０、操作部１５０、表示装置１６０および入出力Ｉ／Ｆ１７０はバス１８０に接続される。
【００１６】
ＲＡＭ１２０は、ＣＰＵ１１０の作業領域として用いられる。ＲＯＭ１３０にはシステムプログラムが記憶される。記憶部１４０は、ハードディスクまたは半導体メモリ等の記憶媒体を含み、データ処理プログラムおよび後述する事前登録情報が記憶される。なお、データ処理プログラムまたは事前登録情報は、記憶部１４０とは異なる記憶媒体に記憶されていてもよい。
【００１７】
ＣＰＵ１１０が記憶部１４０等に記憶されたデータ処理プログラムをＲＡＭ１２０上で実行することにより、データ処理が行われる。データ処理は、複数の試料の分析または調製（前処理）のシーケンスを制御するためのバッチファイルを自動的に作成し、作成されたバッチファイルに基づいて自動試料注入装置２００および分析装置３００の動作を制御する処理である。データ処理の詳細については後述する。
【００１８】
操作部１５０は、キーボード、マウスまたはタッチパネル等の入力デバイスである。表示装置１６０は、液晶表示装置等の表示デバイスである。分析システム４００の使用者は、操作部１５０を用いてデータ処理装置１００に各種指令を行うことができる。表示装置１６０は、データ処理装置１００により作成されたバッチファイルまたは分析装置３００による分析結果等を表示可能である。入出力Ｉ／Ｆ１７０は、自動試料注入装置２００および分析装置３００に接続される。
【００１９】
自動試料注入装置２００には、固有のＩＤ（識別子）が付与された１または複数のトレイが載置される。図２は、トレイの一例を示す平面図である。図２に示すように、トレイ２０には、複数の容器保持部２１およびトレイＩＤ表示部２２が形成される。容器保持部２１は試料保持部の例である。図２の例では、トレイ２０には、５行×４列に配置された２０個の容器保持部２１が形成される。
【００２０】
トレイＩＤ表示部２２は、例えばＲＦ（Radio Frequency）ＩＤタグ、バーコードまたはＱＲコード（登録商標）であり、トレイ２０に付与されたＩＤ（以下、トレイＩＤと呼ぶ。）を示す。トレイＩＤ表示部２２は、ｎ個（ｎは１以上の整数）のマグネットであり、２進コードによりトレイＩＤを示してもよい。この場合、トレイＩＤ表示部２２は、２ｎ通りのトレイＩＤを示すことが可能である。
【００２１】
また、本実施の形態においては、トレイ２０ごとに試料の分析または調製について必要な各種情報（以下、分析情報と呼ぶ。）が予め定められている。具体的には、分析情報は、分析条件もしくは解析条件を含む分析メソッド、調製条件、試料タイプ、試料の注入量、分析装置３００の後述する分析ラインまたは分析結果の出力形式等を含む。試料タイプは、例えば標準試料、未知試料またはコントロール試料の区別を含む。また、分析情報は、標準試料の濃度も含む。
【００２２】
分析情報と各トレイ２０のトレイＩＤとの対応関係が、事前登録情報として予め記憶部１４０に記憶（登録）されている。事前登録情報は、例えば自動試料注入装置２００の据付時または分析プロトコルの策定時にフィールドエンジニア等の技師により登録される。バッチファイルは、登録された事前登録情報を用いて作成される。なお、使用者は、試料の注入量の変更等の分析プロトコルの調製時に、事前登録情報を変更することも可能である。
【００２３】
分析システム４００の使用者は、分析に用いるべきトレイ２０として所望の分析情報に適合するトレイ２０を選択する。なお、所望の分析情報に適合するトレイ２０を容易に認識可能にするために、各トレイ２０にメモ欄または番号札等を添付してもよい。あるいは、互いに色が異なる複数のトレイ２０が用いられてもよい。
【００２４】
使用者は、選択されたトレイ２０に対応する分析情報に従って、当該トレイ２０の適切な容器保持部２１に適切な試料が収容された試料容器（バイアル）を保持させる。その後、使用者は、トレイ２０を自動試料注入装置２００に載置する。これにより、自動試料注入装置２００は、データ処理装置１００により作成されたバッチファイルに従って、当該トレイ２０の試料容器から順次試料を吸引し、分析装置３００に導入する。自動試料注入装置２００の詳細については後述する。
【００２５】
分析装置３００は、クロマトグラフ装置の例であり、データ処理装置１００により作成されたバッチファイルに従って、自動試料注入装置２００により導入された試料の分析を順次行う。本実施の形態においては、分析装置３００はガスクロマトグラフ装置であるが、液体クロマトグラフ装置であってもよい。また、本実施の形態においては、分析装置３００は複数の分析部（分析ライン）を有し、複数の分析ラインの各々で試料の分析を実行可能である。
【００２６】
（２）自動試料注入装置
図３および図４は、自動試料注入装置２００の構成を示す図である。図３には自動試料注入装置２００のハードウエアの構成が示され、図４の一部には自動試料注入装置２００の機能的な構成が示される。図３および図４に示すように、自動試料注入装置２００は、複数の載置部２１０、複数のトレイ読取部２２０、複数の検知部２３０、試料吸入ユニット２４０、駆動部２５０および制御装置２６０を備える。
【００２７】
本実施の形態においては、複数（本例では３個）の載置部２１０にそれぞれ対応するように複数のトレイ読取部２２０および複数の検知部２３０が設けられるが、実施の形態はこれに限定されない。複数の載置部２１０にアクセス可能な１個のトレイ読取部２２０が設けられてもよいし、複数の載置部２１０にアクセス可能な１個の検知部２３０が設けられてもよい。なお、図４では、１個のトレイ読取部２２０および１個の検知部２３０が図示され、他のトレイ読取部２２０および他の検知部２３０の図示が省略されている。
【００２８】
各載置部２１０には、トレイ２０を載置可能である。トレイ読取部２２０は、例えばＲＦＩＤリーダ、バーコードリーダまたはＱＲコードリーダである。トレイＩＤ表示部２２がマグネットである場合、トレイ読取部２２０はマグネットセンサであってもよい。トレイ読取部２２０は、対応する載置部２１０に載置されたトレイ２０のトレイＩＤ表示部２２からトレイＩＤを読み取り、読み取られたトレイＩＤを制御装置２６０に与える。
【００２９】
検知部２３０は、対応する載置部２１０に載置されたトレイ２０の各容器保持部２１に試料容器が保持されているか否かを検知し、当該トレイ２０の各容器保持部２１に試料容器が保持されているか否かを示す保持情報を制御装置２６０に与える。本例では、検知部２３０はスキャナであり、トレイ２０をスキャンすることにより各容器保持部２１に試料容器が保持されているか否かを検知する。なお、スキャナは、反射型光センサまたは透過型光センサを含んでもよいし、試料容器との物理的接触により試料容器の有無を検出する接触センサであってもよい。実施の形態はこれに限定されず、検知部２３０はガスセンサ等であってもよい。
【００３０】
試料吸入ユニット２４０は、シリンジ、シリンジの保持部およびトレイ２０の保持部等を含む。駆動部２５０は、複数のアクチュエータを含む。アクチュエータは、例えばステッピングモータを含んでもよい。駆動部２５０は、試料吸入ユニット２４０およびトレイ２０を駆動することにより、トレイ２０の容器保持部２１により保持された試料容器から分析装置３００に試料を導入する。
【００３１】
具体的には、試料吸入ユニット２４０のシリンジの下方に分析装置３００の試料気化室が配置される。駆動部２５０は、所定の基準位置と、その下方の位置との間でシリンジを移動可能に構成される。また、駆動部２５０は、載置部２１０と、基準位置の下方でかつ試料気化室の上方の吸引位置との間でトレイ２０を移動可能に構成される。
【００３２】
トレイ２０が吸引位置に移動された後、シリンジが基準位置からその下方の吸引位置に移動されることにより、シリンジの針がトレイ２０の所定の容器保持部２１により保持された試料容器に刺し込まれる。この状態で、シリンジのプランジャが駆動されることにより、シリンジに試料が吸引される。また、トレイ２０が吸引位置から退避された後、シリンジが吸引位置の下方に移動されることにより、シリンジの針が試料気化室に刺し込まれる。この状態で、シリンジのプランジャが駆動されることにより、試料気化室に試料が導入される。
【００３３】
図３に示すように、制御装置２６０は、ＣＰＵ２６１、ＲＡＭ２６２およびＲＯＭ２６３により構成される。図４に示すように、制御装置２６０は、機能部として、トレイＩＤ通知部２６４、検知制御部２６５、保持情報通知部２６６および駆動制御部２６７を含む。ＣＰＵ２６１がＲＯＭ２６３に記憶された通知プログラム等のアプリケーションプログラムをＲＡＭ２６２上で実行することにより、制御装置２６０の機能部が実現され、後述する通知処理が実行される。制御装置２６０の機能部の一部または全部が電子回路等のハードウエアにより実現されてもよい。
【００３４】
トレイＩＤ通知部２６４は、各トレイ読取部２２０からトレイＩＤを取得し、データ処理装置１００に通知する。検知制御部２６５は、使用者からの指令に応答して、各トレイ２０の各容器保持部２１に試料容器が保持されているか否かを検知するように検知部２３０を制御する。
【００３５】
使用者は、データ処理装置１００または自動試料注入装置２００に設けられた所定のボタンを操作することにより検知の開始を検知制御部２６５に指令することができる。検知の開始を指令するためのボタンは、グラフィカルユーザインターフェイス上のボタンを含んでもよい。
【００３６】
保持情報通知部２６６は、各検知部２３０から保持情報を取得し、データ処理装置１００に通知する。駆動制御部２６７は、分析装置３００に試料が導入されるように駆動部２５０を制御する。上記のトレイＩＤ通知部２６４、検知制御部２６５および保持情報通知部２６６は、後述する通知処理の実行時に動作する。一方、駆動制御部２６７は、試料の分析または試料の調製の実行時に動作する。
【００３７】
（３）データ処理装置の構成
図５は、データ処理装置１００の機能的な構成を示す図である。図５に示すように、データ処理装置１００は、機能部１０として、事前登録情報取得部１１、トレイＩＤ取得部１２、保持情報取得部１３、分析情報特定部１４、バッチファイル作成部１５および装置制御部１６を含む。図１のＣＰＵ１１０が記憶部１４０等に記憶されたデータ処理プログラムを実行することにより、機能部１０が実現される。機能部１０の一部または全てが電子回路等のハードウエアにより実現されてもよい。
【００３８】
事前登録情報取得部１１は、記憶部１４０に登録された事前登録情報を取得する。事前登録情報が記憶部１４０とは異なる記憶媒体に登録されている場合には、事前登録情報取得部１１は、当該記憶媒体から事前登録情報を取得する。また、図２のトレイ２０が記憶素子を含む場合には、各トレイ２０に対応する事前登録情報が当該トレイ２０の記憶素子に登録されてもよい。この場合、事前登録情報取得部１１は、各トレイ２０の記憶素子から事前登録情報を取得する。
【００３９】
トレイＩＤ取得部１２は、自動試料注入装置２００からトレイＩＤを取得する。保持情報取得部１３は、自動試料注入装置２００から保持情報を取得する。分析情報特定部１４は、事前登録情報取得部１１により取得された事前登録情報に基づいて、トレイＩＤ取得部１２により取得されたトレイＩＤに対応する分析情報を特定する。
【００４０】
バッチファイル作成部１５は、保持情報取得部１３により取得された保持情報と分析情報特定部１４により特定された分析情報とに基づいて、保持されている全ての試料容器に収容された試料の分析を制御するためのバッチファイルを作成する。装置制御部１６は、バッチファイル作成部１５により作成されたバッチファイルに基づいて、試料の分析または試料の調製が実行されるように自動試料注入装置２００または分析装置３００を制御する。
【００４１】
（４）バッチファイルの作成手順
以下、バッチファイルが作成される手順について説明する。図６〜図８は、事前登録情報取得部１１により取得される事前登録情報の一例を示す図である。具体的には、図６は、トレイＩＤ「ＴｒａｙＲｅｄ」が付与されたトレイ２０についての事前登録情報を示す。図７は、トレイＩＤ「ＴｒａｙＧｒｅｅｎ」が付与されたトレイ２０についての事前登録情報を示す。図８は、トレイＩＤ「ＴｒａｙＢｌｕｅ」が付与されたトレイ２０についての事前登録情報を示す。
【００４２】
図６のトレイ２０については、「容器番号１」〜「容器番号５」の容器保持部２１に標準試料が保持されることが定められている。「容器番号６」〜「容器番号９」、「容器番号１１」〜「容器番号１４」および「容器番号１６」〜「容器番号１９」の容器保持部２１に未知試料が保持されることが定められている。「容器番号１０」、「容器番号１５」および「容器番号２０」の容器保持部２１にコントロール試料が保持されることが定められている。また、試料の注入量は１単位であり、分析ラインは「ライン１」であり、分析メソッドは「メソッドＡ」であり、分析結果の出力形式は「形式Ａ」であることが定められている。
【００４３】
図７のトレイ２０については、全部の容器保持部２１に未知試料が保持されることが定められている。また、試料の注入量は３単位であり、分析ラインは「ライン１」であり、分析メソッドは「メソッドＢ」であり、分析結果の出力形式は「形式Ｂ」であることが定められている。図８のトレイ２０については、全部の容器保持部２１に未知試料が保持されることが定められている。また、試料の注入量は２単位であり、分析ラインは「ライン２」であり、分析メソッドは「メソッドＣ」であり、分析結果の出力形式は「形式Ｃ」であることが定められている。
【００４４】
上記のように、分析システム４００の使用者は、分析に用いるべきトレイ２０を選択し、選択されたトレイ２０に対応する分析情報に従って、適切な容器保持部２１に適切な試料が収容された試料容器を保持させる。その後、使用者は、トレイ２０を図３の自動試料注入装置２００の載置部２１０に載置する。図９は、載置部２１０に載置されたトレイ２０を示す図である。図９に示すように、本例では、３個の載置部２１０にそれぞれ３個のトレイ２０が載置される。以下の説明では、３個のトレイ２０を区別する場合は、３個のトレイ２０をそれぞれトレイ２０Ａ，２０Ｂ，２０Ｃと呼ぶ。
【００４５】
本例では、トレイ２０Ａは赤色を有するので、トレイ２０ＡにはトレイＩＤとして「ＴｒａｙＲｅｄ」が付与されている。トレイ２０Ｂは緑色を有するので、トレイ２０ＢにはトレイＩＤとして「ＴｒａｙＧｒｅｅｎ」が付与されている。トレイ２０Ｃは青色を有するので、トレイ２０ＣにはトレイＩＤとして「ＴｒａｙＢｌｕｅ」が付与されている。実施の形態はこれに限定されず、トレイ２０には、色とは関係なく番号等がトレイＩＤとして付与されてもよい。
【００４６】
各トレイ２０において、標準試料が保持されるべき容器保持部２１と、未知試料が保持されるべき容器保持部２１と、コントロール試料が保持されるべき容器保持部２１とが異なる態様（例えば色）で形成されてもよい。この場合、使用者は、各容器保持部２１に保持させるべき試料のタイプを容易に認識することができる。図９の例では、標準試料が保持されるべき容器保持部２１が第１のハッチングパターンで示され、コントロール試料が保持されるべき容器保持部２１が第２のハッチングパターンで示される。また、容器保持部２１に保持された試料を含む試料容器がドットパターンで示される。
【００４７】
図９の例では、トレイ２０Ａについては、「容器番号１」の容器保持部２１に標準試料が収容された試料容器が保持されている。「容器番号６」〜「容器番号９」の容器保持部２１の各々に未知試料が収容された試料容器が保持されている。「容器番号１０」の容器保持部２１にコントロール試料が収容された試料容器が保持されている。トレイ２０Ｂについては、「容器番号１」〜「容器番号３」の容器保持部２１の各々に未知試料が収容された試料容器が保持されている。トレイ２０Ｃについては、いずれの容器保持部２１にも試料容器が保持されていない。
【００４８】
図３のトレイ読取部２２０により図９の各トレイ２０のトレイＩＤ表示部２２からトレイＩＤが読み取られる。これにより、各トレイ２０のトレイＩＤが図５のトレイＩＤ取得部１２により取得される。図１０は、トレイＩＤ取得部１２により取得されたトレイＩＤの例を示す図である。図１０の例では、第１、第２および第３の載置部２１０に載置されたトレイ２０のトレイＩＤは、それぞれ「ＴｒａｙＲｅｄ」、「ＴｒａｙＧｒｅｅｎ」および「ＴｒａｙＢｌｕｅ」である。
【００４９】
その後、使用者からの指令に応答して図３の検知部２３０により図９の各トレイ２０の各容器保持部２１に試料容器が保持されているか否かが検知される。これにより、各トレイ２０の各容器保持部２１に試料容器が保持されているか否を示す保持情報が図５の保持情報取得部１３により取得される。なお、使用者は、図９の操作部１５０を用いて所定操作を行うことにより、装置制御部１６を介して検知部２３０に検知の開始を指令することも可能である。
【００５０】
図１１は、保持情報取得部１３により取得された保持情報の例を示す図である。図１１の例では、第１の載置部２１０のトレイ２０については、「容器番号１」および「容器番号６」〜「容器番号９」の容器保持部２１の各々に試料容器が保持され、他の容器保持部２１には試料容器が保持されていない。第２の載置部２１０のトレイ２０については、「容器番号１」〜「容器番号３」の容器保持部２１の各々に試料容器が保持され、他の容器保持部２１には試料容器が保持されていない。第３の載置部２１０のトレイ２０については、いずれの容器保持部２１にも試料容器が保持されていない。
【００５１】
図５の分析情報特定部１４は、図１０のトレイＩＤを図６〜図８の事前登録情報のトレイＩＤと照合することにより、各トレイＩＤに対応する分析情報を特定する。図５のバッチファイル作成部１５は、図１１の保持情報において「あり」と示された試料容器の試料の各々について、分析情報特定部１４により特定された分析情報で順次分析または調製が行われるようにバッチファイルを作成する。
【００５２】
図１２は、バッチファイル作成部１５により作成されたバッチファイルの例を示す図である。図１２の例では、トレイＩＤが「ＴｒａｙＲｅｄ」のトレイ２０（トレイ２０Ａ）に保持された６個の試料、およびトレイＩＤが「ＴｒａｙＧｒｅｅｎ」のトレイ２０（トレイ２０Ｂ）に保持された３個の試料について、合計９回の分析を制御するためのバッチファイルが作成される。
【００５３】
第１回目の分析では、トレイ２０Ａの「容器番号１」の容器保持部２１に保持された標準試料が１単位だけ「ライン１」に注入され、「メソッドＡ」で分析が実行され、分析結果が「形式Ａ」で出力される。第２〜第５回目の分析では、トレイ２０Ａの「容器番号６」〜「容器番号９」の容器保持部２１にそれぞれ保持された未知試料について、第１回目の分析の制御と同様の制御が行われる。第６回目の分析では、トレイ２０Ａの「容器番号１０」の容器保持部２１に保持されたコントロール試料について、第１回目の分析の制御と同様の制御が行われる。
【００５４】
第７回目の分析では、トレイ２０Ｂの「容器番号１」の容器保持部２１に保持された未知試料が３単位だけ「ライン１」に注入され、「メソッドＢ」で分析が実行され、分析結果が「形式Ｂ」で出力される。第８および第９回目の分析では、トレイ２０Ｂの「容器番号２」および「容器番号３」の容器保持部２１にそれぞれ保持された未知試料について、第７回目の分析の制御と同様の制御が行われる。
【００５５】
（５）事前登録情報
上記のように、事前登録情報は、例えば自動試料注入装置２００の据付時または分析プロトコルの策定時に作成され、データ処理が実行される前に予め登録される。事前登録情報は、一般には分析システム４００の使用者とは異なる技師により作成されるが、使用者が熟練している場合には、使用者により作成または更新されてもよい。以下、事前登録情報の作成手順について説明する。
【００５６】
図１３は、事前登録情報の作成時における表示装置１６０の表示画面の一例を示す図である。図１３に示すように、事前登録情報の作成時には、設定画面３０が表示装置１６０に表示される。設定画面３０は、データ処理装置１００の機能部により表示されてもよいし、他の情報処理装置の機能部により表示されてもよい。設定画面３０は、ＩＤ選択欄３１、画像表示欄３２、試料タイプ設定欄３３、分析情報設定欄３４および決定ボタン３５を含む。
【００５７】
ＩＤ選択欄３１には、自動試料注入装置２００に用いられるトレイ２０のトレイＩＤを選択するためのプルダウンメニューが表示される。事前登録情報の作成者は、ＩＤ選択欄３１を操作することにより、任意のトレイ２０のトレイＩＤを選択することができる。画像表示欄３２は、ＩＤ選択欄３１で選択されたトレイＩＤに対応するトレイ２０の模擬画像１が表示される。摸擬画像１には、複数の容器保持部２１を模擬する画像部分２が含まれる。
【００５８】
試料タイプ設定欄３３には、試料タイプを選択するためのチェックボックスが表示される。作成者は、画像表示欄３２に表示された摸擬画像１における任意の容器保持部の画像部分２を選択した状態で、試料タイプ設定欄３３を操作することにより、画像部分２に対応する容器保持部２１に保持されるべき試料のタイプを設定することができる。
【００５９】
分析情報設定欄３４には、試料タイプを除く分析情報を設定するためのプルダウンメニューが表示される。図１３の例では、分析メソッド、出力形式、注入量および分析ラインを設定するためのプルダウンメニューが分析情報設定欄３４に表示されている。分析情報設定欄３４には、他の分析情報を設定するためのプルダウンメニューがさらに表示されてもよい。作成者は、分析情報設定欄３４を操作することにより、トレイ２０の分析情報を設定することができる。
【００６０】
最後に、作成者は、決定ボタン３５を操作することにより、事前登録情報を確定し、確定された事前登録情報を図１の記憶部１４０または他の記憶媒体に登録することができる。上記の設定画面３０において、ＩＤ選択欄３１または分析情報設定欄３４には、プルダウンメニューに代えて、同様の機能を有するチェックボックス等が表示されてもよい。あるいは、試料タイプ設定欄３３には、チェックボックスに代えて、同様の機能を有するプルダウンメニュー等が表示されてもよい。
【００６１】
（６）通知処理
図１４は、通知プログラムにより行われる通知処理のアルゴリズムの一例を示すフローチャートである。以下、図４の自動試料注入装置２００および図１４のフローチャートを用いて通知処理の一例を説明する。
【００６２】
図１４に示すように、トレイＩＤ通知部２６４は、各トレイ読取部２２０からトレイＩＤを取得する（ステップＳ１）。また、トレイＩＤ通知部２６４は、ステップＳ１で取得されたトレイＩＤをデータ処理装置１００に通知する（ステップＳ２）。次に、検知制御部２６５は、検知の開始が指令されたか否かを判定する（ステップＳ３）。検知の開始が指令されない場合、検知制御部２６５はステップＳ１に戻る。検知の開始が指令されるまで、ステップＳ１〜Ｓ３が繰り返される。
【００６３】
使用者は、データ処理装置１００または自動試料注入装置２００を操作することにより検知の開始を指令することができる。また、使用者は、検知の開始を指令するまで、分析に用いるトレイ２０の変更を行うことができる。なお、ステップＳ２は、分析に用いるトレイ２０が確定するステップＳ３よりも後の時点で実行されてもよい。
【００６４】
検知の開始が指令された場合、検知制御部２６５は、載置部２１０に載置されたトレイ２０の各容器保持部２１に試料容器が保持されているか否かを検知部２３０により検知する（ステップＳ４）。保持情報通知部２６６は、ステップＳ４の保持情報を検知部２３０から取得する（ステップＳ５）。また、保持情報通知部２６６は、ステップＳ５で取得された保持情報をデータ処理装置１００に通知する（ステップＳ６）。
【００６５】
その後、検知制御部２６５は、全部の載置部２１０について検知が実行されたか否かを判定する（ステップＳ７）。全部の載置部２１０について検知が実行されていない場合、検知制御部２６５は、ステップＳ４に戻る。全部の載置部２１０について検知が実行されるまで、ステップＳ４〜Ｓ７が繰り返される。全部の載置部２１０について検知が実行された場合、検知制御部２６５は通知処理を終了する。なお、ステップＳ６は、全部の載置部２１０について検知が実行されたことが確定するステップＳ７の後に一括して実行されてもよい。
【００６６】
（７）データ処理
図１５は、データ処理プログラムにより行われるデータ処理のアルゴリズムの一例を示すフローチャートである。以下、図５のデータ処理装置１００および図１５のフローチャートを用いてデータ処理の一例を説明する。
【００６７】
図１５に示すように、事前登録情報取得部１１は、記憶部１４０または所定の記憶媒体から事前登録情報を取得する（ステップＳ１１）。次に、トレイＩＤ取得部１２は、自動試料注入装置２００からトレイＩＤが通知されたか否かを判定する（ステップＳ１２）。図１４の通知処理のステップＳ２が実行された場合、トレイＩＤがトレイＩＤ取得部１２に通知される。トレイＩＤが通知されていない場合、トレイＩＤ取得部１２はステップＳ１４に進む。トレイＩＤが通知された場合、トレイＩＤ取得部１２はトレイＩＤを取得し（ステップＳ１３）、ステップＳ１４に進む。
【００６８】
ステップＳ１４で、トレイＩＤ取得部１２は、トレイＩＤが既に取得されているか否かを判定する（ステップＳ１４）。トレイＩＤが未だ取得されていない場合、トレイＩＤ取得部１２はステップＳ１２に戻る。トレイＩＤが取得されるまで、ステップＳ１２〜Ｓ１４が繰り返される。
【００６９】
ステップＳ１４でトレイＩＤが既に取得されている場合、保持情報取得部１３は、自動試料注入装置２００から保持情報が通知されたか否かを判定する（ステップＳ１５）。図１４の通知処理のステップＳ６が実行された場合、保持情報が保持情報取得部１３に通知される。保持情報が通知されていない場合、保持情報取得部１３はステップＳ１２に戻る。保持情報が通知されるまで、ステップＳ１２〜Ｓ１５が繰り返される。分析に用いるトレイ２０の変更が行われた場合、ステップＳ１２で新たなトレイＩＤが通知され、ステップＳ１３で既に取得されたトレイＩＤが新たなトレイＩＤに更新されることとなる。
【００７０】
ステップＳ１５で保持情報が通知された場合、保持情報取得部１３は保持情報を取得する（ステップＳ１６）。続いて、保持情報取得部１３は、載置部２１０に載置された全部のトレイ２０の保持情報が通知されたか否かを判定する（ステップＳ１７）。全部のトレイ２０の保持情報が通知されていない場合、保持情報取得部１３はステップＳ１６に戻る。全部のトレイ２０の保持情報が通知されるまで、ステップＳ１６，Ｓ１７が繰り返される。
【００７１】
その後、分析情報特定部１４は、ステップＳ１１で取得された事前登録情報に基づいて、ステップＳ３で取得されたトレイＩＤに対応する分析情報を特定する（ステップＳ１８）。なお、ステップＳ１８は、ステップＳ３よりも後の任意の時点で実行されてもよい。次に、バッチファイル作成部１５は、ステップＳ１６で取得された保持情報と、ステップＳ１８で特定された分析情報とに基づいて、バッチファイルを作成する（ステップＳ１９）。作成されたバッチファイルは、表示装置１６０に表示されてもよい。
【００７２】
最後に、装置制御部１６は、ステップＳ１９で作成されたバッチファイルに基づいて自動試料注入装置２００または分析装置３００を制御することにより、試料の分析または調製を実行する（ステップＳ２０）。本実施の形態においては、ステップＳ１９の後に自動的にステップＳ２０が実行されるが、実施の形態はこれに限定されない。ステップＳ１９の後にステップＳ２０が実行されなくてもよい。あるいは、ステップＳ１９の後に、使用者の指令に応答してステップＳ２０が実行されてもよい。
【００７３】
（８）効果
本実施の形態においては、分析システム４００の使用者は、分析に用いるべき試料容器として所望の分析情報に適合する１以上の試料容器を選択し、当該分析情報に従って、選択された試料容器に適切な試料を封入する。その後、使用者は、試料容器をトレイ２０の任意の容器保持部２１に保持させ、トレイ２０を自動試料注入装置２００のいずれかの載置部２１０に載置する。
【００７４】
本実施の形態に係る自動試料注入装置２００においては、トレイ２０に固有のトレイＩＤがトレイＩＤ通知部２６４によりデータ処理装置１００に通知される。トレイ２０の各容器保持部２１に試料容器が保持されているか否かを示す保持情報が保持情報通知部２６６によりデータ処理装置１００に通知される。
【００７５】
本実施の形態に係るデータ処理装置１００においては、試料の分析または調製についての条件を示す分析情報と、トレイＩＤとの対応関係を示す事前登録情報が事前登録情報取得部１１により取得される。自動試料注入装置２００からトレイＩＤがトレイＩＤ取得部１２により取得される。事前登録情報取得部１１により取得された事前登録情報に基づいて、トレイＩＤ取得部１２により取得されたトレイＩＤに対応する分析情報が分析情報特定部１４により特定される。
【００７６】
自動試料注入装置２００から保持情報が保持情報取得部１３により取得される。保持情報取得部１３により取得された保持情報と、分析情報特定部１４により特定された分析情報とに基づいて、トレイ２０に保持されている１または複数の試料についての分析または調製のシーケンスを制御するためのバッチファイルがバッチファイル作成部１５により作成される。
【００７７】
この構成によれば、バッチファイルが自動的に作成される。そのため、使用者は、バッチファイルを作成するための種々の情報の入力操作をデータ処理装置に加える必要がない。したがって、使用者による情報の認識ミスまたは操作ミスが発生しない。これにより、効率的にかつミスなくバッチファイルを作成することができる。また、人的ミスに起因する誤分析が発生することが回避されるので、貴重な試料と分析時間とを無駄にすることが防止される。
【００７８】
（９）変形例
図１６は、変形例に係る自動試料注入装置２００の構成を示す図である。図１６に示すように、変形例に係る自動試料注入装置２００は、試料読取部２７０をさらに含む。試料読取部２７０は、例えばＲＦＩＤリーダ、バーコードリーダまたはＱＲコードリーダであってもよい。また、制御装置２６０は、試料識別情報通知部２６８をさらに含む。
【００７９】
試料が収容された試料容器には、当該試料の識別情報（以下、試料識別情報と呼ぶ。）を示す試料識別情報表示部２３が貼付される。試料識別情報は、試料に固有のＩＤ（以下、試料ＩＤと呼ぶ。）または試料名等を含む。試料識別情報表示部２３は、例えばＲＦＩＤタグ、バーコードまたはＱＲコードであってもよい。
【００８０】
試料読取部２７０は、検知部２３０がトレイ２０の各容器保持部２１に試料容器が保持されているか否かを検知する際に、保持されている試料容器の試料識別情報表示部２３から試料識別情報を読み取る。試料識別情報通知部２６８は、試料読取部２７０により読み取られた試料識別情報をデータ処理装置１００に通知する。
【００８１】
図１７は、変形例に係るデータ処理装置１００の構成を示す図である。図１７に示すように、変形例に係るデータ処理装置１００は、機能部１０として試料識別情報取得部１７をさらに含む。試料識別情報取得部１７は、自動試料注入装置２００から試料識別情報を取得する。バッチファイル作成部１５は、試料識別情報取得部１７により取得された試料識別情報にさらに基づいてバッチファイルを作成する。
【００８２】
変形例においては、試料識別情報を含むバッチファイルが自動的に作成されるので、使用者は、試料識別情報の入力操作をデータ処理装置１００に加える必要がない。そのため、効率的にかつミスなく試料識別情報を含むバッチファイルを作成することができる。また、使用者は、分析される試料についての試料識別情報を別途保持しておく必要がないので、分析される試料をより容易に管理することができる。
【００８３】
［２］第２の実施の形態
（１）分析システムの構成
第２の実施の形態に係るデータ処理装置１００および自動試料注入装置２００について、第１の実施の形態に係るデータ処理装置１００および自動試料注入装置２００と異なる点を説明する。本実施の形態においては、各試料容器には、容器のタイプに固有のＩＤ（以下、容器タイプＩＤと呼ぶ。）が付与されている。事前登録情報は、分析情報と各試料容器の容器タイプＩＤとの対応関係を示す。
【００８４】
図１８は、第２の実施の形態に係る自動試料注入装置２００の構成を示す図である。図１８に示すように、本実施の形態に係る自動試料注入装置２００は、トレイ読取部２２０に代えて容器読取部２８０を含む。容器読取部２８０は、図１６の試料読取部２７０と同様に、例えばＲＦＩＤリーダ、バーコードリーダまたはＱＲコードリーダであってもよい。また、制御装置２６０は、トレイＩＤ通知部２６４に代えて容器タイプＩＤ通知部２６９をさらに含む。
【００８５】
試料が収容された試料容器には、容器タイプＩＤを示す容器タイプＩＤ表示部２４が貼付される。容器タイプＩＤ表示部２４は、例えばＲＦＩＤタグ、バーコードまたはＱＲコードであってもよい。容器読取部２８０は、検知部２３０がトレイ２０の各容器保持部２１に試料容器が保持されているか否かを検知する際に、保持されている試料容器の容器タイプＩＤ表示部２４から容器タイプＩＤを読み取る。容器タイプＩＤ通知部２６９は、容器読取部２８０により読み取られた容器タイプＩＤをデータ処理装置１００に通知する。
【００８６】
図１９は、第２の実施の形態に係るデータ処理装置１００の構成を示す図である。図１９に示すように、本実施の形態に係るデータ処理装置１００は、機能部１０としてトレイＩＤ取得部１２に代えて容器タイプＩＤ取得部１８を含む。容器タイプＩＤ取得部１８は、自動試料注入装置２００から容器タイプＩＤを取得する。
【００８７】
分析情報特定部１４は、事前登録情報取得部１１により取得された事前登録情報に基づいて、容器タイプＩＤ取得部１８により取得された容器タイプＩＤに対応する分析情報を特定する。バッチファイル作成部１５は、保持情報取得部１３により取得された保持情報と容器タイプＩＤ取得部１８により特定された分析情報とに基づいて、保持されている全ての試料容器に収容された試料の分析または調製のシーケンスを制御するためのバッチファイルを作成する。
【００８８】
（２）効果
本実施の形態においては、分析システム４００の使用者は、分析に用いるべき試料容器として所望の分析情報に適合する１以上の試料容器を選択し、当該分析情報に従って、選択された試料容器に適切な試料を封入する。その後、使用者は、試料容器をトレイ２０の任意の容器保持部２１に保持させ、トレイ２０を自動試料注入装置２００のいずれかの載置部２１０に載置する。
【００８９】
本実施の形態に係る自動試料注入装置２００においては、トレイ２０の各容器保持部２１に試料容器が保持されているか否かを示す保持情報が保持情報通知部２６６によりデータ処理装置１００に通知される。保持されている１または複数の試料容器のタイプに固有の容器タイプＩＤが容器タイプＩＤ通知部２６９によりデータ処理装置１００に通知される。
【００９０】
本実施の形態に係るデータ処理装置１００においては、試料の分析または調製についての条件を示す分析情報と、容器タイプＩＤとの対応関係を示す事前登録情報が事前登録情報取得部１１により取得される。自動試料注入装置２００から容器タイプＩＤが容器タイプＩＤ取得部１８により取得される。事前登録情報取得部１１により取得された事前登録情報に基づいて、容器タイプＩＤ取得部１８により取得された容器タイプＩＤに対応する分析情報が分析情報特定部１４により特定される。
【００９１】
自動試料注入装置２００から保持情報が保持情報取得部１３により取得される。保持情報取得部１３により取得された保持情報と、分析情報特定部１４により特定された分析情報とに基づいて、保持されている１または複数の試料容器に収容された試料についての分析または調製のシーケンスを制御するためのバッチファイルがバッチファイル作成部１５により作成される。
【００９２】
この構成によれば、バッチファイルが自動的に作成される。そのため、使用者は、バッチファイルを作成するための種々の情報の入力操作をデータ処理装置に加える必要がない。したがって、使用者による情報の認識ミスまたは操作ミスが発生しない。これにより、効率的にかつミスなくバッチファイルを作成することができる。
【００９３】
容器タイプＩＤ表示部２４は、第１の実施の形態の変形例と同様の試料識別情報をさらに示してもよい。また、制御装置２６０は変形例と同様の試料識別情報通知部２６８を含み、データ処理装置１００は変形例と同様の試料識別情報取得部１７を含んでもよい。この場合、容器読取部２８０は、容器タイプＩＤ表示部２４から容器タイプＩＤとともに試料識別情報を読み取ることが可能であってもよいし、自動試料注入装置２００に試料読取部２７０が別個に設けられてもよい。
【００９４】
この構成によれば、上記の変形例と同様に、試料識別情報を含むバッチファイルが自動的に作成されるので、使用者は、試料識別情報の入力操作をデータ処理装置１００に加える必要がない。そのため、効率的にかつミスなく試料識別情報を含むバッチファイルを作成することができる。また、使用者は、分析される試料についての試料識別情報を別途保持しておく必要がないので、分析される試料をより容易に管理することができる。
【００９５】
［３］他の実施の形態
（１）上記実施の形態において、トレイ２０が載置部２１０に取り替え可能に載置されるが、実施の形態はこれに限定されない。トレイ２０が載置部２１０に固定的に据え付けられてもよい。この場合、各載置部２１０に据え付けられるトレイ２０のトレイＩＤは既知となるので、自動試料注入装置２００はトレイ読取部２２０を含まなくてもよい。
【００９６】
（２）上記実施の形態において、各トレイ２０における所定の容器保持部２１のみに試料容器が保持されるように各トレイ２０の用途が予め定められていてもよい。この場合、各トレイ２０において、各容器保持部２１に試料容器が保持されているか否かは既知となるので、自動試料注入装置２００は検知部２３０および検知制御部２６５を含まなくてもよい。
【００９７】
（３）上記実施の形態において、自動試料注入装置２００は複数の載置部２１０を含むが、実施の形態はこれに限定されない。自動試料注入装置２００は、１個の載置部２１０のみを含んでもよい。
【００９８】
（４）上記実施の形態において、データ処理装置１００と自動試料注入装置２００とは別体的に設けられるが、実施の形態はこれに限定されない。データ処理装置１００と自動試料注入装置２００とは一体的に設けられてもよい。この場合、ＣＰＵ１１０とＣＰＵ２６１とは共通のＣＰＵにより構成されてもよく、ＲＡＭ１２０とＲＡＭ２６２とは共通のＲＡＭにより構成されてもよく、ＲＯＭ１３０とＲＯＭ２６３とは共通のＲＯＭにより構成されてもよい。
【００９９】
（５）第１の実施の形態において、トレイ２０は試料容器を介して試料を保持する容器保持部２１を含むが、実施の形態はこれに限定されない。トレイ２０は、試料容器を介さずに直接的に試料を保持するウェル等の試料保持部を含んでもよい。この場合、変形例においては、試料識別情報表示部２３が試料に対応するように試料保持部の近傍に貼付されてもよい。
【０１００】
［４］態様
（第１項）一態様に係るクロマトグラフ用データ処理装置は、
トレイの複数の試料保持部のいずれかにより保持された試料をクロマトグラフ装置に導入可能な自動試料注入装置に接続されるクロマトグラフ用データ処理装置であって、
試料の分析または調製についての条件を示す分析情報と前記トレイに固有のトレイＩＤ（識別子）との対応関係を示す事前登録情報を取得する事前登録情報取得部と、
前記自動試料注入装置からトレイＩＤを取得するトレイＩＤ取得部と、
前記事前登録情報取得部により取得された事前登録情報に基づいて、前記トレイＩＤ取得部により取得されたトレイＩＤに対応する分析情報を特定する分析情報特定部と、
前記自動試料注入装置から前記トレイの各試料保持部に試料が保持されているか否かを示す保持情報を取得する保持情報取得部と、
前記保持情報取得部により取得された保持情報と前記分析情報特定部により特定された分析情報とに基づいて、前記トレイに保持されている１または複数の試料についての分析または調製のシーケンスを制御するためのバッチファイルを作成するバッチファイル作成部とを備えてもよい。
【０１０１】
このクロマトグラフ用データ処理装置においては、試料の分析または調製についての条件を示す分析情報と、トレイに固有のトレイＩＤとの対応関係を示す事前登録情報が事前登録情報取得部により取得される。自動試料注入装置からトレイＩＤがトレイＩＤ取得部により取得される。事前登録情報取得部により取得された事前登録情報に基づいて、トレイＩＤ取得部により取得されたトレイＩＤに対応する分析情報が分析情報特定部により特定される。
【０１０２】
自動試料注入装置からトレイの各試料保持部に試料が保持されているか否かを示す保持情報が保持情報取得部により取得される。保持情報取得部により取得された保持情報と、分析情報特定部により特定された分析情報とに基づいて、トレイに保持されている１または複数の試料についての分析または調製のシーケンスを制御するためのバッチファイルがバッチファイル作成部により作成される。
【０１０３】
この構成によれば、バッチファイルが自動的に作成される。そのため、使用者は、バッチファイルを作成するための種々の情報の入力操作をデータ処理装置に加える必要がない。したがって、使用者による情報の認識ミスまたは操作ミスが発生しない。これにより、効率的にかつミスなくバッチファイルを作成することができる。
【０１０４】
（第２項）他の態様に係るクロマトグラフ用データ処理装置は、
複数の容器保持部のいずれかにより保持された試料容器からクロマトグラフ装置に試料を導入可能な自動試料注入装置に接続されるクロマトグラフ用データ処理装置であって、
試料の分析または調製についての条件を示す分析情報と試料容器のタイプに固有の容器タイプＩＤ（識別子）との対応関係を示す事前登録情報を取得する事前登録情報取得部と、
前記自動試料注入装置から前記複数の容器保持部のいずれかに保持された各試料容器の容器タイプＩＤを取得する容器タイプＩＤ取得部と、
前記事前登録情報取得部により取得された事前登録情報に基づいて、前記容器タイプＩＤ取得部により取得された各試料容器の容器タイプＩＤに対応する分析情報を特定する分析情報特定部と、
前記自動試料注入装置から各容器保持部に試料容器が保持されているか否かを示す保持情報を取得する保持情報取得部と、
前記保持情報取得部により取得された保持情報と前記分析情報特定部により特定された分析情報とに基づいて、前記保持されている１または複数の試料容器に収容された試料の分析または調製のシーケンスを制御するためのバッチファイルを作成するバッチファイル作成部とを備えてもよい。
【０１０５】
このクロマトグラフ用データ処理装置においては、試料の分析または調製についての条件を示す分析情報と、試料容器のタイプに固有の容器タイプＩＤとの対応関係を示す事前登録情報が事前登録情報取得部により取得される。自動試料注入装置から容器タイプＩＤが容器タイプＩＤ取得部により取得される。事前登録情報取得部により取得された事前登録情報に基づいて、容器タイプＩＤ取得部により取得された容器タイプＩＤに対応する分析情報が分析情報特定部により特定される。
【０１０６】
自動試料注入装置から各試料保持部に試料が保持されているか否かを示す保持情報が保持情報取得部により取得される。保持情報取得部により取得された保持情報と、分析情報特定部により特定された分析情報とに基づいて、保持されている１または複数の試料容器に収容された試料についての分析または調製のシーケンスを制御するためのバッチファイルがバッチファイル作成部により作成される。
【０１０７】
この構成によれば、バッチファイルが自動的に作成される。そのため、使用者は、バッチファイルを作成するための種々の情報の入力操作をデータ処理装置に加える必要がない。したがって、使用者による情報の認識ミスまたは操作ミスが発生しない。これにより、効率的にかつミスなくバッチファイルを作成することができる。
【０１０８】
（第３項）第１または２項に記載のクロマトグラフ用データ処理装置において、
前記試料を識別するための試料識別情報を取得する試料識別情報取得部をさらに備え、
前記バッチファイル作成部は、前記試料識別情報取得部により取得された試料識別情報をさらに含むようにバッチファイルを作成してもよい。
【０１０９】
この場合、試料識別情報を含むバッチファイルが自動的に作成されるので、使用者は、試料識別情報の入力操作をデータ処理装置に加える必要がない。そのため、効率的にかつミスなく試料識別情報を含むバッチファイルを作成することができる。また、使用者は、分析される試料についての試料識別情報を別途保持しておく必要がないので、分析される試料をより容易に管理することができる。
【０１１０】
（第４項）第１〜３のいずれか一項に記載のクロマトグラフ用データ処理装置において、
前記バッチファイル作成部により作成されたバッチファイルに基づいて、試料の分析または調製が実行されるように前記自動試料注入装置または前記クロマトグラフ装置を制御する装置制御部をさらに備えてもよい。
【０１１１】
この場合、試料の分析結果または調製結果を容易に取得することができる。
【０１１２】
（第５項）さらに他の態様に係る自動試料注入装置は、
クロマトグラフ用データ処理装置に接続されるとともに、トレイの複数の試料保持部のいずれかにより保持された試料をクロマトグラフ装置に導入可能な自動試料注入装置であって、
前記トレイに固有のトレイＩＤ（識別子）を前記クロマトグラフ用データ処理装置に通知するトレイＩＤ通知部と、
前記トレイの各試料保持部に試料が保持されているか否かを示す保持情報を前記クロマトグラフ用データ処理装置に通知する保持情報通知部とを備えてもよい。
【０１１３】
この自動試料注入装置においては、トレイに固有のトレイＩＤがトレイＩＤ通知部によりクロマトグラフ用データ処理装置に通知される。トレイの各試料保持部に試料が保持されているか否かを示す保持情報が保持情報通知部によりクロマトグラフ用データ処理装置に通知される。
【０１１４】
この場合、クロマトグラフ用データ処理装置において、トレイＩＤおよび保持情報に基づいてバッチファイルを自動的に作成することが容易になる。これにより、効率的にかつミスなくバッチファイルを作成することができる。
【０１１５】
（第６項）第５項に記載の自動試料注入装置において、
前記トレイが取り替え可能に載置される載置部と、
前記載置部に載置されている前記トレイのトレイＩＤを読み取るトレイ読取部とをさらに備え、
前記トレイＩＤ通知部は、前記トレイ読取部により読み取られたトレイＩＤを前記クロマトグラフ用データ処理装置に通知してもよい。
【０１１６】
この場合、載置部に載置されるトレイを変更することにより、バッチファイルを作成するための分析情報を柔軟に変更することができる。したがって、使用者は、所望の分析情報に対応するトレイを載置部に載置することにより、所望の分析情報に対応するバッチファイルを容易に作成することができる。
【０１１７】
（第７項）第５または６項に記載の自動試料注入装置において、
各試料保持部に試料が保持されているか否かを検知する検知部をさらに備え、
前記保持情報通知部は、前記検知部による検知結果を保持情報として前記クロマトグラフ用データ処理装置に通知してもよい。
【０１１８】
この場合、トレイの各試料保持部の用途が制限されることなく、容易に保持情報をクロマトグラフ用データ処理装置に通知することができる。
【０１１９】
（第８項）さらに他の態様に係る自動試料注入装置は、
クロマトグラフ用データ処理装置に接続されるとともに、複数の容器保持部のいずれかにより保持された試料容器からクロマトグラフ装置に試料を導入可能な自動試料注入装置であって、
各容器保持部に試料容器が保持されているか否かを示す保持情報を前記クロマトグラフ用データ処理装置に通知する保持情報通知部と、
前記保持されている１または複数の試料容器のタイプに固有の容器タイプＩＤ（識別子）を前記クロマトグラフ用データ処理装置に通知する容器タイプＩＤ通知部とを備えてもよい。
【０１２０】
この自動試料注入装置においては、各容器保持部に試料容器が保持されているか否かを示す保持情報が保持情報通知部によりクロマトグラフ用データ処理装置に通知される。保持されている１または複数の試料容器のタイプに固有の容器タイプＩＤが容器タイプＩＤ通知部によりクロマトグラフ用データ処理装置に通知される。
【０１２１】
この場合、クロマトグラフ用データ処理装置において、保持情報および容器タイプＩＤに基づいてバッチファイルを自動的に作成することが容易になる。これにより、効率的にかつミスなくバッチファイルを作成することができる。
【０１２２】
（第９項）第８項に記載の自動試料注入装置において、
前記保持されている１または複数の試料容器の容器タイプＩＤを読み取る容器読取部をさらに備え、
前記容器タイプＩＤ通知部は、前記容器読取部により読み取られた容器タイプＩＤを前記クロマトグラフ用データ処理装置に通知してもよい。
【０１２３】
この場合、用いる試料容器のタイプを変更することにより、バッチファイルを作成するための分析情報を柔軟に変更することができる。したがって、使用者は、所望の分析情報に対応する試料容器を容器保持部に保持させることにより、所望の分析情報に対応するバッチファイルを容易に作成することができる。
【０１２４】
（第１０項）第８または９項に記載の自動試料注入装置において、
各容器保持部に試料容器が保持されているか否かを検知する検知部をさらに備え、
前記保持情報通知部は、前記検知部による検知結果を保持情報として前記クロマトグラフ用データ処理装置に通知してもよい。
【０１２５】
この場合、容器保持部の用途が制限されることなく、容易に保持情報をクロマトグラフ用データ処理装置に通知することができる。
【０１２６】
（第１１項）第５〜１０のいずれか一項に記載の自動試料注入装置において、
前記試料を識別するための試料識別情報を読み取る試料読取部と、
前記試料読取部により読み取られた試料識別情報を前記クロマトグラフ用データ処理装置に通知する試料識別情報通知部をさらに備えてもよい。
【０１２７】
この場合、クロマトグラフ用データ処理装置において、試料識別情報を含むバッチファイルを自動的に作成することが容易になる。これにより、効率的にかつミスなく試料識別情報バッチファイルを作成することができる。また、使用者は、分析される試料についての試料識別情報を別途保持しておく必要がないので、分析される試料をより容易に管理することができる。
【符号の説明】
【０１２８】
１…摸擬画像，２…画像部分，１０…機能部，１１…事前登録情報取得部，１２…トレイＩＤ取得部，１３…保持情報取得部，１４…分析情報特定部，１５…バッチファイル作成部，１６…装置制御部，１７…試料識別情報取得部，１８…容器タイプＩＤ取得部，２０，２０Ａ〜２０Ｃ…トレイ，２１…容器保持部，２２…トレイＩＤ表示部，２３…試料識別情報表示部，２４…容器タイプＩＤ表示部，３０…設定画面，３１…ＩＤ選択欄，３２…画像表示欄，３３…試料タイプ設定欄，３４…分析情報設定欄，３５…決定ボタン，１００…データ処理装置，１１０，２６１…ＣＰＵ，１２０，２６２…ＲＡＭ，１３０，２６３…ＲＯＭ，１４０…記憶部，１５０…操作部，１６０…表示装置，１７０…入出力Ｉ／Ｆ，１８０…バス，２００…自動試料注入装置，２１０…載置部，２２０…トレイ読取部，２３０…検知部，２４０…試料吸入ユニット，２５０…駆動部，２６０…制御装置，２６４…トレイＩＤ通知部，２６５…検知制御部，２６６…保持情報通知部，２６７…駆動制御部，２６８…試料識別情報通知部，２６９…容器タイプＩＤ通知部，２７０…試料読取部，２８０…容器読取部，３００…分析装置，４００…分析システム
【図１】
2020183909.tif 000003
【図２】
2020183909.tif 000004
【図３】
2020183909.tif 000005
【図４】
2020183909.tif 000006
【図５】
2020183909.tif 000007
【図６】
2020183909.tif 000008
【図７】
2020183909.tif 000009
【図８】
2020183909.tif 000010
【図９】
2020183909.tif 000011
【図１０】
2020183909.tif 000012
【図１１】
2020183909.tif 000013
【図１２】
2020183909.tif 000014
【図１３】
2020183909.tif 000015
【図１４】
2020183909.tif 000016
【図１５】
2020183909.tif 000017
【図１６】
2020183909.tif 000018
【図１７】
2020183909.tif 000019
【図１８】
2020183909.tif 000020
【図１９】
2020183909.tif 000021